(57)【特許請求の範囲】
【請求項１】
本体が容器の側壁に設けた孔に横方向に嵌入して取り付けられ、リードスイッチが該本体の軸方向と直角に設けられる液面検出器において、
該本体の前部に検出支持部を介して突設された１対の接続突出部と、
該本体の外側に設けられたコネクタ部と、
該コネクタ部から該接続突出部にかけて配設された１対のターミナル部材と、
該ターミナル部材の先端を該接続突出部から突出させ切り割り部を設けてなる１対の切割形嵌着部と、
筒体内にリードスイッチを挿入しその両端にリード線を突出させてなるリードスイッチ組付体と、
該リードスイッチ組付体の外周部に上下動自在に緩く外嵌される磁石付きフロートと、
を備え、該リードスイッチ組付体のリードスイッチの両端のリード線が該切割形嵌着部の切り割り部に嵌入されると共に、該リードスイッチ組付体の筒体の両端が該両切割形嵌着部の内側に嵌着されて該リードスイッチ組付体が取り付けられ、該両切割形嵌着部には、内側に膨出した膨出係止部が設けられ、リードスイッチ組付体の筒体の両端が該切割形嵌着部に嵌入する際、筒体の両端が該膨出係止部を乗り越えて該切割形嵌着部に嵌着されることを特徴とする液面検出器。
【請求項２】
本体が容器の側壁に設けた孔に横方向に嵌入して取り付けられ、リードスイッチが該本体の軸方向と直角に設けられる液面検出器において、
該本体の前部に検出支持部を介して突設された１対の接続突出部と、
該本体の外側に設けられたコネクタ部と、
該コネクタ部から該接続突出部にかけて配設された１対のターミナル部材と、
該ターミナル部材の先端を該接続突出部から突出させ切り割り部を設けてなる１対の切割形嵌着部と、
筒体内にリードスイッチを挿入しその両端にリード線を突出させてなるリードスイッチ組付体と、
該リードスイッチ組付体の外周部に上下動自在に緩く外嵌される磁石付きフロートと、
を備え、該リードスイッチ組付体のリードスイッチの両端のリード線が該切割形嵌着部の切り割り部に嵌入されると共に、該リードスイッチ組付体の筒体の両端が該両切割形嵌着部の内側に嵌着されて該リードスイッチ組付体が取り付けられ、該１対の接続突出部と該リードスイッチ組付体の筒体の外周部は、軟質カバーにより被覆されていることを特徴とする液面検出器。
【請求項３】
前記ターミナル部材はコネクタ部内のコネクタ端子から前記切割形嵌着部との間で一体形成されていることを特徴とする請求項１または２記載の液面検出器。
【発明の詳細な説明】
【０００１】
【発明の属する技術分野】
本発明は、自動車のオイルパン内のオイルレベル、或はウインドウ洗浄液、冷却水等を収容する容器内の液面位置を検出する液面検出器に関し、特に、容器の側壁から横方向に検出部を容器内に挿入する構造の液面検出器に関する。
【０００２】
【従来の技術】
従来、自動車のオイルパン内のオイルの液面を検出する液面検出器として、オイルパンの側壁から横方向に検出部をタンク内に挿入する構造の液面検出器が、実開昭６２−９７９２５号公報等により知られている。この液面検出器は、センサーユニットとセンサーユニットを覆う円筒カバーとから構成され、センサーユニットは、フランジ部を有する本体の先端にブラケットを設け、そのブラケットの中央にリードスイッチを、本体の軸方向とは直角に装着し、リードスイッチの外側に間隙をおいて磁石付きフロートを上下動自在に配設して形成される。
【０００３】
【発明が解決しようとする課題】
この種の液面検出器は、その構造上、リードスイッチがセンサーユニットの本体の軸方向と直角に配設されるため、リードスイッチを取り付ける部分の構造が複雑化し、或はリードスイッチをブラケットに取り付け且つその配線をターミナルに接続する工程が複雑化するため、製造の生産性を上げることが難しく、製造コストも高くなる問題があった。
【０００４】
本発明は、上記の点に鑑みてなされたもので、容器の側壁から横方向に検出部を容器内に挿入する構造の液面検出器において、本体に対しリードスイッチ組付体を簡単に効率良く組み付けることができる液面検出器を提供することを目的とする。
【０００５】
【課題を解決するための手段】
上記目的を達成するために、本発明の請求項１の液面検出器は、本体が容器の側壁に設けた孔に横方向に嵌入して取り付けられ、リードスイッチが本体の軸方向と直角に設けられる液面検出器において、本体の前部に検出支持部を介して突設された１対の接続突出部と、本体の外側に設けられたコネクタ部と、コネクタ部から接続突出部にかけて配設された１対のターミナル部材と、ターミナル部材の先端を接続突出部から突出させ切り割り部を設けてなる１対の切割形嵌着部と、筒体内にリードスイッチを挿入しその両端にリード線を突出させてなるリードスイッチ組付体と、リードスイッチ組付体の外周部に上下動自在に緩く外嵌される磁石付きフロートと、を備え、リードスイッチ組付体のリードスイッチの両端のリード線が切割形嵌着部の切り割り部に嵌入されると共に、リードスイッチ組付体の筒体の両端が両切割形嵌着部の内側に嵌着されてリードスイッチ組付体が取り付けられ、両切割形嵌着部には、内側に膨出した膨出係止部を設け、リードスイッチ組付体の筒体の両端を該切割形嵌着部に嵌入する際、筒体の両端が膨出係止部を乗り越えて切割形嵌着部に嵌着されることを特徴とする。
【０００６】
また、本発明の請求項２の液面検出器は、本体が容器の側壁に設けた孔に横方向に嵌入して取り付けられ、リードスイッチが該本体の軸方向と直角に設けられる液面検出器において、本体の前部に検出支持部を介して突設された１対の接続突出部と、本体の外側に設けられたコネクタ部と、コネクタ部から接続突出部にかけて配設された１対のターミナル部材と、ターミナル部材の先端を接続突出部から突出させ切り割り部を設けてなる１対の切割形嵌着部と、筒体内にリードスイッチを挿入しその両端にリード線を突出させてなるリードスイッチ組付体と、リードスイッチ組付体の外周部に上下動自在に緩く外嵌される磁石付きフロートと、を備え、リードスイッチ組付体のリードスイッチの両端のリード線が切割形嵌着部の切り割り部に嵌入されると共に、リードスイッチ組付体の筒体の両端が両切割形嵌着部の内側に嵌着されてリードスイッチ組付体が取り付けられ、１対の接続突出部とリードスイッチ組付体の筒体の外周部は、軟質カバーにより被覆されていることを特徴とする。
【０００８】
ここで、上記請求項１または２の発明において、請求項３のように、ターミナル部材はコネクタ部内のコネクタ端子から切割形嵌着部との間で一体形成することができる。
【０００９】
【発明の作用・効果】
このような構成の液面検出器は、その製造時、ターミナル部材を内部に配設し１対の接続突出部を突設すると共に、両接続突出部の先端からターミナル部材の先端の切割形嵌着部を突設させてなる本体に対し、フロートを緩く外嵌させたリードスイッチ組付体を、その両側に突出したリード線を本体側の両切割形嵌着部の切り割部に嵌め入れると共に、その筒体の両端部を、両切割形嵌着部間に嵌着させる。これにより、リードスイッチ組付体を本体に対し、非常に簡単に嵌着して仮止めすることができ、その状態で、リードスイッチのリード線を切割形嵌着部に半田付け等により簡単に固定することができる。従って、液面検出器の組付作業工数を低減し、生産効率を向上させ、製造コストの削減を図ることができる。
【００１０】
また、両切割形嵌着部に、内側に膨出した膨出係止部を設けているため、リードスイッチ組付体の筒体の両端を切割形嵌着部に嵌入する際、筒体の両端が膨出係止部を乗り越えて切割形嵌着部に嵌着され、リードスイッチ組付体を両接続突出部の両切割形嵌着部間に確実に嵌着させ、外れを防止することができる。
【００１１】
更に、請求項２のように、１対の接続突出部とリードスイッチ組付体の筒体を軟質カバーにより被覆すれば、磁石付きフロートの動きによる接続突出部や筒体の摩耗や衝撃を防止することができる。
【００１２】
更に、請求項３のように、コネクタ部内のコネクタ端子から切割形嵌着部までのターミナル部材を一体形成すれば、最小の部品点数で効率よく製造することができる。
【００１３】
【発明の実施の形態】
以下、本発明の実施例を図面に基づいて説明する。図１は本発明の液面検出器を適用した車両用オイルレベルスイッチの平面図を示し、図２はその正面図を、図３はその背面図を示している。１は検出器の本体であり、略カップ状に形成され、本体１の元部にフランジ状の取付部３が設けられ、取付部３には両側に取付孔３ａが穿設される。本体１の外周に段差部が設けられ、その段差部にシールリング４が外嵌される。
【００１４】
さらに、本体１の前部先端側には検出支持部５が突設される。この検出支持部５は本体１から前方に板状部を突設しその両側に三角形の補強リブを設けて形成される。更に、検出支持部５の先端部両側には棒状の接続突出部６ａ，６ｂが突設される。一方、本体１の外側（背面側の凹部となった部分）にはコネクタ部２が突出して形成され、そのコネクタ部２、本体１、及び検出支持部５にかけて、１対のターミナル部材７がインサート成形される。
【００１５】
１対のターミナル部材７は帯状の金属板から形成され、それらの末端つまり元部側はコネクタ部２内に突出してコネクタ端子７ａ、７ａとなる。１対のターミナル部材７の先端側つまり前部側は、２本の接続突出部６ａ，６ｂ内に延設され、さらにそこから先端側に突出し、その部分に、切割形嵌着部８ａ，８ｂが形成される。
【００１６】
切割形嵌着部８ａ，８ｂは、図１、図４等に示すごとく、帯状金属板の先端部にスリット状の切り割り部を設けて形成される。切割形嵌着部８ａ，８ｂの先端部は、側面視で、内側に円弧状に曲げられ、少し内側に膨出した膨出係止部９ａ，９ｂを形成している。膨出係止部９ａ，９ｂは、後述のリードスイッチ組付体１５の両側リード線１６ａ，１６ｂが切割形嵌着部８ａ，８ｂに嵌め込まれた時、リードスイッチ組付体１５の両端部に嵌合して、リードスイッチ組付体１５が安定して接続突出部６ａ，６ｂ間に係止されるように作用する。
【００１７】
棒状の２本の接続突出部６ａ，６ｂの外周には、保護用にゴム等の軟質カバー１０ａ，１０ｂが被覆され、また、軟質カバー１０ａ，１０ｂの内側にはフロートの衝突を緩和するためのリブが突設される。なお、接続突出部６ａ，６ｂの先端部には、リードスイッチ組付体１５の筒体１７の端部を良好に嵌合させるための凹部が、切割形嵌着部８ａ，８ｂの元部付近に設けられる。
【００１８】
リードスイッチ組付体１５は、図６等に示すように、リードスイッチ１６と、リードスイッチ１６の外側に被せるように配設される筒体１７と、筒体１７の外周を被覆して装着されるゴム等の軟質カバー１８とから構成される。筒体１７は合成樹脂により円筒形に形成され、リードスイッチ１６がその筒体１７内に、そのリード線１６ａ、１６ｂを両側に少し突出させた状態で挿入される。
【００１９】
リードスイッチ組付体１５の外側には、磁石付きフロートとして、リング状の磁石１２を内側に装着したフロート１３が上下動自在になるように、間隙をおいて外嵌される。フロート１３は略長方形の板状に形成され、中央のリング状の磁石１２と共に液体上に浮上可能で、両側には凹部が形成される。
【００２０】
上記のように構成されたリードスイッチ組付体１５は、図６のように、フロート１３を緩く外嵌させた状態で、上記本体１の検出支持部５上の両接続突出部６ａ，６ｂ間に、次のように、嵌着・固定される。
【００２１】
即ち、フロート１３を緩く外嵌させたリードスイッチ組付体１５を、両側に突出したリード線１６ａ，１６ｂを切割形嵌着部８ａ，８ｂの切り割り部に嵌め入れると共に、その筒体１７の両端部を、両切割形嵌着部８ａ，８ｂ間と両接続突出部６ａ，６ｂの先端の凹部に嵌着させる。このとき、リードスイッチ組付体１５の筒体１７の両端部は、内側に少し膨出した膨出係止部９ａ，９ｂに当って、切割形嵌着部８ａ，８ｂを少し外側に押しながら、そこを乗り越え元部側に進入する。このため、リードスイッチ組付体１５の筒体１７の両端部は、節度感を持って膨出係止部９ａ，９ｂの内側の両切割形嵌着部８ａ，８ｂ間に嵌り込み、簡単に嵌着・固定することができる。
【００２２】
次に、リードスイッチ組付体１５のリードスイッチ１６のリード線１６ａ，１６ｂの先端を折り曲げ、その箇所を切割形嵌着部８ａ，８ｂに半田付けする。これで、リードスイッチ組付体１５の取り付けは完了し、１対のターミナル部材７の先端が切割形嵌着部８ａ，８ｂで、その末端がコネクタ部２のコネクタ端子７ａであるから、リードスイッチ１６の両リード線はコネクタ端子７ａ，７ａに接続される。
【００２３】
上記構成の液面検出器をオイルパン等の液体容器に取り付ける場合、容器の側壁に、本体１を挿入可能な孔を穿設すると共に、両側に取付ねじ孔を設けておき、容器の側壁から、検出支持部５、接続突出部６ａ，６ｂ、フロート１３を容器内に挿入するように差し込み、取付部３を容器側壁に当て、その取付ねじ孔３ａに取付ねじをねじ込み、締付固定する。このとき、リードスイッチ組付体１５は鉛直状態となり、フロート１３はリードスイッチ組付体１５の軸方向に上下動するように、検出器は取り付けられる。検出器の外側に突出したコネクタ部２には、図示しないケーブル側コネクタが差し込まれ、リードスイッチ１６は外部の検出回路等に接続される。
【００２４】
容器１内に取付けられた液面検出器は、容器内の液体の液面位置に応じて、磁石付きフロート１３の位置が上下し、筒体１７内のリードスイッチ１６が磁石１２の位置に応じてオンオフし、例えば、液面が所定レベル以下に低下した際には、検出信号を発生するように動作する。
【００２５】
一般に、この種の液面検出器は、その構造上、リードスイッチがセンサーユニットの本体の軸方向と直角に配設されるため、リードスイッチを取り付ける部分の構造が複雑化し、またその製造時、リードスイッチを取り付け且つそのリード線をターミナル部材に接続する工程が複雑化するが、上記のように、本発明の液面検出器は、フロート１３を緩く外嵌させたリードスイッチ組付体１５を、両側に突出したリード線１６ａ，１６ｂを切割形嵌着部８ａ，８ｂに嵌め入れると共に、その筒体１７の両端部を、両接続突出部６ａ，６ｂの先端の凹部に嵌着させて、本体１側の接続突出部６ａ，６ｂ間に取り付けるため、非常に簡単に、且つ少ない作業工数で、リードスイッチ組付体１５を取り付けることができ、製造コストの低減を図ることができる。
【図面の簡単な説明】
【図１】本発明の一実施形態を示す液面検出器の平面図である。
【図２】液面検出器のフロート側からの正面図である。
【図３】液面検出器のコネクタ部側からの背面図である。
【図４】液面検出器の軸方向の断面図である。
【図５】リードスイッチ組付体１５の箇所での断面図である。
【図６】本体側とリードスイッチ組付体１５とを分離した分解平面図である。
【符号の説明】
１−本体
２−コネクタ部
３−取付部
５−検出支持部
６ａ，６ｂ−接続突出部
７−ターミナル部材
８ａ，８ｂ−切割形嵌着部
９ａ，９ｂ−膨出係止部
１２−磁石
１３−フロート
１５−リードスイッチ組付体
１６−リードスイッチ
１７−筒体
【図１】
0003767186.tif 000002
【図２】
0003767186.tif 000003
【図３】
0003767186.tif 000004
【図４】
0003767186.tif 000005
【図５】
0003767186.tif 000006
【図６】
0003767186.tif 000007